(57)【要約】【課題】  開口部に取り付けた際に枠材の見掛け上の厚さを小さくすることができ、シンプルで斬新な意匠性に優れた、施工が簡便な戸枠構造を提供する。【解決手段】  壁の厚さと同じ幅に形成される本体部と、本体部における幅方向端面の枠内面側にて長手方向全体に亘って突設される一対の凸条部とで構成される、開口部の内側面に配設される枠材と、枠材と壁との間に生じた隙間を目隠しする一対の見切部材とを備えており、見切部材は、枠材の凸条部の外側面と、枠材の本体部の幅方向端面及び壁の主面とに添って配設され、見切部材の表面には、壁の主面に貼着される化粧材と同じ化粧材が貼着されていることを特徴とする、壁に形成された開口部に戸を取り付けるための戸枠構造。【選択図】図２
2010222886.tif 000002
【特許請求の範囲】
【請求項１】
壁に形成された開口部に戸を取り付けるための戸枠構造であって、
壁の厚さと同じ幅に形成される本体部と、本体部における幅方向端面の枠内面側にて長手方向全体に亘って突設される一対の凸条部とで構成される、開口部の内側面に配設される枠材と、
枠材と壁との間に生じた隙間を目隠しする一対の見切部材とを備えており、
見切部材は、枠材の凸条部の外側面と、枠材の本体部の幅方向端面及び壁の主面とに添って配設され、
見切部材の表面には、壁の主面に貼着される化粧材と同じ化粧材が貼着されていることを特徴とする戸枠構造。
【発明の詳細な説明】
【技術分野】
【０００１】
本発明は、建物の壁に形成された開口部に開き戸等を取り付けるための戸枠構造に関する。
【背景技術】
【０００２】
従来の建物の壁に形成された開口部に開き戸を取り付けるための戸枠構造として、特許文献１や非特許文献１に記載のものが知られている。この戸枠構造は、図４に示すように、壁枠２０ａの前後面に壁板２０ｂを設けた壁２０の内側面に、壁枠２０ａより内側に壁板２０ｂが突出するように形成され、これら壁枠２０ａと壁板２０ｂにより形成される凹部２０ｃに、長尺の本体の前面と外側面との角部及び後面と外側面との角部をそれぞれ断面略Ｌ字形に切り欠くことにより、前側切欠き残部２１ａ及び後側切欠き残部２１ｂが設けられた枠材２１の切り欠きによって形成される突起２１ｃが挿入され、前側切欠き残部２１ａの外側面と壁板２０ｂの端面との間、及び後側切欠き残部２１ｂの外側面と壁板２０ｂの端面との間に、壁板２０ｂの表面に貼る化粧材２２の端が押し込まれて固定された状態で化粧材２２が壁板２０ｂの表面に貼られてなるものである。
【０００３】
かかる戸枠構造は、開口部に取り付けた際に枠材の見掛け上の厚さを小さくすることができるため、シンプル且つ斬新な印象となり、意匠性に優れたものとなる。
【０００４】
しかしながら、上述のような戸枠構造では、壁２０の寸法に合せて壁板２０ｂを切断する際に、前側切欠き残部２１ａ又は後側切欠き残部２１ｂに合せて真っ直ぐに精度良く壁板２０ｂを切断しなければ、前側切欠き残部２１ａの外側面と壁板２０ｂの端面との間、または後側切欠き残部２１ｂの外側面と壁板２０ｂの端面との間に意図しない隙間が空いてしまい、非常に見掛けの悪いものになってしまうため、壁板２０ｂの切断や施工に手間がかかるという問題があった。
【先行技術文献】
【特許文献】
【０００５】
【特許文献１】特開２００８−３８４１９号公報
【非特許文献】
【０００６】
【非特許文献１】中善寺登喜次編  「図集・建物のおさまり  ２」  井上書院  １９７１年
【発明の概要】
【発明が解決しようとする課題】
【０００７】
それゆえに、本発明の主たる課題は、開口部に取り付けた際に枠材の見掛け上の厚さを小さくすることができ、シンプルで斬新な意匠性に優れた、施工が簡便な戸枠構造を提供することである。
【課題を解決するための手段】
【０００８】
請求項１の発明に係る戸枠構造は、壁に形成された開口部に戸を取り付けるための戸枠構造であって、壁の厚さと同じ幅に形成される本体部と、本体部における幅方向端面の枠内面側にて長手方向全体に亘って突設される一対の凸条部とで構成される、開口部の内側面に配設される枠材と、枠材と壁との間に生じた隙間を目隠しする一対の見切部材とを備えており、見切部材は、枠材の凸条部の外側面と、枠材の本体部の幅方向端面及び壁の主面とに添って配設され、見切部材の表面には、壁の主面に貼着される化粧材と同じ化粧材が貼着されていることを特徴とする。
【発明の効果】
【０００９】
請求項１の発明によれば、例えば、柱材の前後面に壁板を設けた壁において、壁板の切断が精度良くおこなわれず、枠材と壁との間に意図しない隙間が生じた場合であっても、見切部材により、枠材と壁との間の隙間を目隠しできるため、壁板の切断の精度をあまり気にせずに、簡便に施工することができる。また、見切部材の表面には、壁の主面に貼着される化粧材と同じ化粧材が貼着されているため、枠材の凸条部のみが目立ち、あたかも開口部に取り付けたに枠材の厚さが小さいかのように見え、シンプルで斬新な意匠性に優れた戸枠構造とすることができる。
【図面の簡単な説明】
【００１０】
【図１】本発明の戸枠構造Aを表す正面図
【図２】図１におけるX−X端面図
【図３】戸枠構造を構成する手順を示す図
【図４】従来の戸枠構造を示す図
【発明を実施するための形態】
【００１１】
以下、本発明を実施するための形態を図面に基づいて詳細に説明する。以下の実施するための形態の説明は、本質的に例示に過ぎず、本発明、その適用物或いはその用途を制限することを意図するものでは全くない。
【００１２】
図１は、本発明の戸枠構造Aを表す正面図であり、図２は図１におけるX−X端面図であり、戸枠構造Aは、部屋等の壁１に形成された開口部２に開き戸を取り付けるために使用されるものである。
【００１３】
ここで、壁１は、複数の壁枠材によって枠組みされた壁枠１ａと、壁枠１ａの表裏両面に接合された壁板１ｂとによって構成されている。そして、壁１に形成された開口部２において、戸枠構造Ａが組み付けられている。
【００１４】
開き戸は、開口部２を閉塞する板状の戸パネル３と、戸パネル３の幅方向一方端部に近接して配設された取手４とを有しており、戸パネルの幅方向他方端部が縦枠材にピボット丁番を介して回動可能に取り付けられている。
【００１５】
本実施形態の戸枠構造Ａは、開口部２の内側面に取り付けられた左右の縦枠材６、７及び上枠材８とからなる枠材９と、枠材９と壁１との間に生じた隙間を目隠しする一対の見切部材１０と、枠材９に取り付けられた戸当たり１１を備えており、見切部材１０は、枠材９の凸条部９ｂ、９ｃの外側面９ｂａ、９ｃａと、枠材９の本体部９ａの幅方向端面９ａａ及び壁１の主面１ｃとに添って配設され、見切部材１０の表面には、壁１の主面１ｃに貼着される化粧材１２が連続して貼着されている。
【００１６】
なお、化粧材１２とは、可撓性を有する装飾用のシート状のもので、例えば、布、和紙、合成樹脂等からなるクロス、壁紙等である。
【００１７】
枠材９は、壁１の厚さＷ１と同じ幅に形成される本体部９ａと、本体部９ａにおける幅方向端面９ａａの枠内面９ｄ側にて長手方向全体に亘って突設される一対の凸条部９ｂ、９ｃとで構成されており、集成材、無垢材、合板、ＭＤＦ等の木質繊維板、木削片板等の木質材料、プラスチック材料又は金属材料等の単独材料、もしくは、これらの複合材料より形成された長尺部材である。
【００１８】
凸条部９ｂの厚さＴ１及び凸条部９ｃの厚さＴ２は、凸条部９ｂ及び９ｃが割れたり、折れたりしない程度の強度をもつ範囲であれば特に限定されないが、凸条部９ｂの厚さＴ１と凸条部９ｃの厚さＴ２とが互いに等しくなるように形成することにより、開き戸の前側からの見た目と、開き戸の後側からの見た目を同じようにする。
【００１９】
ここで、本体部９ａにおける幅方向端面９ａａの枠内面９ｄ側に、凸条部９ｂ及び９ｃを形成する方法としては、壁１の厚みより大きな幅に形成した本体の幅方向端部を枠外面側から切削して凸条部９ｂ及び９ｃを一体的に形成する方法や、木質材料、プラスチック材料又は金属材料等の単独材料、もしくは、これらの複合材料により別体として形成した凸条部９ｂ及び９ｃを、本体部９ａの幅方向端面９ａａの枠内面９ｄ側に接着剤等を用い固定する方法などが挙げられる。
【００２０】
なお、本実施形態では、凸条部９ｂ及び９ｃの突出幅Ｗ２を見切部材１０の厚さＷ３と等しく形成する場合を示しているが、この凸条部９ｂ及び９ｃの突出幅Ｗ２は、これに限られるものではなく、例えば、見切部材１０の厚さＷ３よりも大きくするようにしてもよい。
【００２１】
また、凸条部９ｂ、９ｃの形状についても、開き戸の前側又は後側からの見た際に、枠材９の見掛け上の厚さが小さく見えるものであれば矩形のものに限定されるものではなく、例えば、凸条部９ｂ、９ｃの内側角部を面取りして幅方向断面の形状を扇状とするようにしてもよい。
【００２２】
見切部材１０は、凸条部９ｂ、９ｃの外側面９ｂａ、９ｃａに当接される当接面１０ａと、枠の本体部の幅方向端面９ａａ及び壁１の一方の主面１ｃに当接される当接面１０ｂとを有する断面略矩形状の棒状部材であり、見切部材１０の凸条部９ｂ、９ｃの外側面９ｂａ、９ｃａとの当接面１０ａの前側角部には、化粧材１２の端部をおさめるための段差１０ｃが設けられている。
【００２３】
そして、この見切部材１０は枠材９の凸条部９ｂ、９ｃの外側面９ｂａ、９ｃａと枠材９の本体部９ａの幅方向端面９ａａ及び壁１の主面１ｃとに沿って配設されており、接着剤、ネジ、釘、両面粘着テープ等の固定手段を用いて固定されている。
【００２４】
なお、見切部材１０の断面形状は、凸条部９ｂ、９ｃの外側面９ｂａ、９ｃａと、枠材９の本体部９ａの幅方向端面９ａａ及び壁１の主面１ｃとに添って配設できる形状であれば、特に限定されるものではなく、長方形、正方形、直角三角形等であってもよい。
【００２５】
また、見切部材１０は、集成材、無垢材、合板、ＭＤＦ等の木質繊維板、木削片板等の木質材料、プラスチック材料又は金属材料等の単独材料、もしくは、これらの複合材料等の材料からなる。
【００２６】
戸枠構造Ａを構成する際には、図３に示すように、まず始めに、(a)壁枠１ａの内側面に枠材９を取り付け、次に、(b)壁板１ｂを壁枠１ａの前後面に取り付けたのち、(c)見切部材１０を枠材９の凸条部９ｂ、９ｃの外側面９ｂａ、９ｃａと枠材９の本体部９ａの幅方向端面９ａａ及び壁１の主面１ｃとに沿って配設して固定し、最後に、(d)壁１の主面１ｃから見切部材１０の表面に亘り化粧材１２を貼着して、化粧材１２の端部を見切部材１０の段差１０ｃにおさめてコーキングすることで、戸枠構造Ａを完成させる。なお、壁板１ｂは、壁枠１ａの前後面に取り付ける際に、壁板１ｂの端面が壁枠１ａの内側面とほぼ同じ位置となるように、必要に応じて予め切断しておくことになるが、見切部材１０を枠材９の凸条部９ｂ、９ｃの外側面９ｂａ、９ｃａと枠材９の本体部９ａの幅方向端面９ａａ及び壁１の主面１ｃとに沿って配設して固定するため、壁板１ｂの切断により壁板１ｂの端面が少し斜めになったり、壁板１ｂの端面が少し欠けたりして、枠材９と壁１との間に意図しない隙間が生じたとしても、その隙間を隠すことができる。さらに、化粧材１２が壁１の主面１ｃから見切部材１０の表面に亘り貼着されているため、あたかも開口部２に取り付けた枠材９の厚さが小さいかのように見え、シンプルで斬新な意匠とできる。
【００２７】
なお、本実施形態では、開き戸の戸枠構造について説明したが、引き戸や折り戸等の戸枠構造としても、使用することができる。また、左右の縦枠材についてのみ本発明の戸枠構造を適用するようにしてもよい。
【産業上の利用可能性】
【００２８】
本発明は、住宅の部屋間、或いは部屋と廊下間の壁に形成された開口部に設けられる戸枠構造は勿論のこと、クローゼットの戸枠構造等としても有用であり、産業上の利用可能性が高い。
【符号の説明】
【００２９】
Ａ              戸枠構造
１              壁
１ａ            壁枠
１ｂ            壁板
１ｃ            主面
２              開口部
３              戸パネル
４              取手
５              ピボット丁番
６、７          縦枠材
８              上枠材
９              枠材
９ａ            本体部
９ａａ          幅方向端面
９ｂ、９ｃ      凸条部
９ｂａ、９ｃａ  外側面
９ｄ            枠内面
１０            見切部材
１０ａ、１０ｂ  当接面
１０ｃ          段差
１１            戸当たり
１２            化粧材
２０            壁
２０ａ          壁枠
２０ｂ          壁板
２０ｃ          凹部
２１            枠材
２１ａ          前側切欠き残部
２１ｂ          後側切欠き残部
２１ｃ          突起
２２            化粧材
Ｗ１            壁１の厚さ
Ｗ２            凸条部９ｂ及び９ｃの突出幅
Ｗ３            見切部材１０の厚さ
Ｔ１            凸条部９ｂの厚さ
Ｔ２            凸条部９ｃの厚さ
【図１】
2010222886.tif 000003
【図２】
2010222886.tif 000004
【図３】
2010222886.tif 000005
【図４】
2010222886.tif 000006